【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
１〜６０個の炭素原子を有する少なくとも１つの炭化水素基を含む少なくとも１つの（メタ）アクリレートモノマーの重合から誘導される１又は複数のポリマー化合物を含む成分（Ａ）と、  成分（Ｂ）及び成分（Ｃ）のうちの少なくとも１つと、を含み、
成分（Ｂ）は、
（ｉ）２〜２０個の繰り返し単位を含む少なくとも１つのイソシアネート反応性オリゴマー、又は１６〜４０個の炭素原子を有する少なくとも１つの直鎖若しくは分枝鎖炭化水素基と、任意に１又は複数のエステル基とを有するアルコールと、
（ｉｉ）少なくとも１つのポリイソシアネートと、
（ｉｉｉ）任意に、少なくとも１つの更なるイソシアネート反応性化合物と、
（ｉｖ）任意に、少なくとも１つのイソシアネートブロック剤と、
を含む成分の１又は複数の工程における反応から誘導される１又は複数の化合物を含み、
前記イソシアネート反応性オリゴマーは、少なくとも１つのメルカプタンの存在下での少なくとも１つの（メタ）アクリレートモノマーのラジカル開始反応により作製されるものであり、１〜６０個の炭素原子を有する少なくとも１つの炭化水素基を含み、
成分（Ｃ）は、１又は複数のポリカルボジイミド化合物を含む、フッ素非含有処理組成物。
【請求項２】
成分Ａと成分Ｂ及び／又はＣとの総重量に基づいて、１重量％〜９９重量％の成分Ａと、
成分Ａと成分Ｂ及び／又はＣとの総重量に基づいて、１重量％〜９９重量％の成分Ｂ、成分Ｃ、又はその両方と、
を含む、請求項１に記載のフッ素非含有処理組成物。
【請求項３】
前記成分（Ａ）の１又は複数のポリマー化合物が、１〜６０個の炭素原子を有する少なくとも１つの炭化水素基と、少なくとも１つのイソシアネートから誘導された基と、を含む少なくとも１つの（メタ）アクリレートモノマーの重合から誘導される、請求項１又は２に記載のフッ素非含有処理組成物。
【請求項４】
前記成分Ａの１又は複数のポリマー化合物が、以下の式：
Ｒ１−ＯＣ（Ｏ）−Ｃ（Ｒ２）＝ＣＨ２  （式０）
Ｒ１−ＮＨ−Ｃ（Ｏ）Ｏ−Ｌ１−ＯＣ（Ｏ）Ｃ（Ｒ２）＝ＣＨ２  （式Ｉ）
Ｒ３−Ｘ１−Ｃ（Ｏ）ＮＨ−Ｌ２−ＯＣ（Ｏ）Ｃ（Ｒ４）＝ＣＨ２  （式ＩＩ）、及び
Ｒ５−Ｘ２−Ｃ（Ｏ）ＮＨ−Ｑ−ＮＨＣ（Ｏ）Ｏ−Ｌ３−ＯＣ（Ｏ）Ｃ（Ｒ６）＝ＣＨ２  （式ＩＩＩ）
［式中、
Ｒ１、Ｒ３及びＲ５は、独立して、１〜６０個の炭素原子を有する炭化水素基であり、
Ｒ２、Ｒ４及びＲ６は、独立して、Ｈ又はＣＨ３であり、
Ｌ１、Ｌ２及びＬ３は、独立して、２〜１０個の炭素原子を有する分枝鎖若しくは直鎖アルキレン基、アリーレン基、又はこれらの組み合わせであり、
Ｘ１及びＸ２は、独立して、Ｏ、Ｓ、−ＮＨ又は−Ｎ（Ｒ７）（式中、Ｒ７は、１〜２０個の炭素原子を有する炭化水素基である。）であり、
Ｑは、イソシアネート残基である。］
のうちの少なくとも１つを有する少なくとも１つの（メタ）アクリレートモノマーの重合から誘導される、請求項１又は２に記載のフッ素非含有処理組成物。
【請求項５】
前記成分Ｂの１又は複数の化合物を作製するために使用される前記イソシアネート反応性オリゴマーが、少なくとも１つのメルカプタンの存在下での少なくとも１つの（メタ）アクリレートモノマーのラジカル開始反応により作製されるものであり、前記少なくとも１つの（メタ）アクリレートモノマーは、１〜６０個の炭素原子を有する少なくとも１つの炭化水素基と、少なくとも１つのイソシアネートから誘導された基と、を含む、請求項１〜４のいずれか一項に記載のフッ素非含有処理組成物。
【請求項６】
前記成分Ｂの１又は複数の化合物が、ブロック化イソシアネート基を含む、請求項１に記載のフッ素非含有処理組成物。
【請求項７】
前記成分Ｃの１又は複数のポリカルボジイミド化合物が、
（ｉ）２〜２０個の繰り返し単位を含む少なくとも１つのイソシアネート反応性オリゴマー、又は１６〜４０個の炭素原子を有する少なくとも１つの直鎖若しくは分枝鎖炭化水素基と、任意に１又は複数のエステル基とを有するアルコールと、
（ｉｉ）少なくとも１つのポリイソシアネートと、
（ｉｉｉ）任意に、少なくとも１つの更なるイソシアネート反応性化合物と、
を含む成分の１又は複数の工程におけるカルボジイミド化反応から誘導され、
前記イソシアネート反応性オリゴマーは、少なくとも１つのメルカプタンの存在下での少なくとも１つの（メタ）アクリレートモノマーのラジカル開始反応により作製されるものであり、前記少なくとも１つの（メタ）アクリレートモノマーは、１〜６０個の炭素原子を有する少なくとも１つの炭化水素基を含む、請求項１〜６のいずれか一項に記載のフッ素非含有処理組成物。
【請求項８】
前記成分Ｃの１又は複数のポリカルボジイミド化合物が、以下の式：
Ｑ２−（Ｘ５−Ｃ（Ｏ）ＮＨ−（Ａ１−（Ｎ＝Ｃ＝Ｎ））ｒ−（Ｚ２）ｑ−Ａ２−ＮＨＣ（Ｏ）−Ｘ６）ｐ−Ｑ３  （式ＩＸ）
［式中、
Ｘ５及びＸ６は、各々Ｏであり、
Ａ１及びＡ２は各々、有機ジイソシアネート化合物の残基を表し、
ｑは０であり、
ｐは１であり、
ｒは３であり、
Ｑ２及びＱ３は、独立して、少なくとも２個の炭素原子を有する炭化水素基、及び式：
−（ＣＨ２）ａ−Ｓ−Ｕ  （式ＸＩ）
（式中、
ａは１〜１０の整数であり、
Ｓは硫黄であり、
Ｕは、
（メタ）アクリレートモノマーの２〜２０個の繰り返し単位を含み、各繰り返し単位が独立して少なくとも１６個の炭素原子を有するアルキル基を含む、オリゴマー、
ウレタン含有（メタ）アクリレートモノマーの２〜２０個の繰り返し単位を含み、各繰り返し単位が独立して少なくとも１６個の炭素原子を有するアルキル基を含む、オリゴマー、
尿素含有（メタ）アクリレートモノマーの２〜２０個の繰り返し単位を含み、各繰り返し単位が独立して少なくとも１６個の炭素原子を有するアルキル基を含む、オリゴマー、及び
これらの組み合わせから選択される。）を有する基から選択される。］を有する、請求項１〜７のいずれか一項に記載のフッ素非含有処理組成物。
【請求項９】
前記成分Ｂ及び／又は成分Ｃの１又は複数の化合物を作製するのに使用されるイソシアネート反応性オリゴマーを作製するための（メタ）アクリレートモノマーが、以下の式：
Ｒ１−ＯＣ（Ｏ）−Ｃ（Ｒ２）＝ＣＨ２  （式０）
Ｒ１−ＮＨ−Ｃ（Ｏ）Ｏ−Ｌ１−ＯＣ（Ｏ）Ｃ（Ｒ２）＝ＣＨ２  （式Ｉ）
Ｒ３−Ｘ１−Ｃ（Ｏ）ＮＨ−Ｌ２−ＯＣ（Ｏ）Ｃ（Ｒ４）＝ＣＨ２  （式ＩＩ）、又は
Ｒ５−Ｘ２−Ｃ（Ｏ）ＮＨ−Ｑ−ＮＨ−Ｃ（Ｏ）Ｏ−Ｌ３−ＯＣ（Ｏ）Ｃ（Ｒ６）＝ＣＨ２  （式ＩＩＩ）
［式中、
Ｒ１、Ｒ３及びＲ５は、独立して、１〜６０個の炭素原子を有する炭化水素基であり、
Ｒ２、Ｒ４及びＲ６は、独立して、Ｈ又はＣＨ３であり、
Ｌ１、Ｌ２及びＬ３は、独立して、２〜１０個の炭素原子を有する分枝鎖若しくは直鎖アルキレン基、アリーレン基（いくつかの実施形態において、５〜１２個の炭素原子を有するアリーレン基）、又はこれらの組み合わせであり、
Ｘ１及びＸ２は、独立して、Ｏ、Ｓ、−ＮＨ又は−Ｎ（Ｒ７）（式中、Ｒ７は、１〜２
０個の炭素原子を有する炭化水素基である。）であり、
Ｑは、２価のイソシアネート残基である。］のうちの少なくとも１つを有する、請求項１〜８のいずれか一項に記載のフッ素非含有処理組成物。
【請求項１０】
前記成分Ａ、Ｂ及び／又はＣの化合物の調製に使用される（メタ）アクリレートモノマーが、１２〜６０個の炭素原子を有する少なくとも１つの炭化水素基を含む、請求項１〜９のいずれか一項に記載のフッ素非含有処理組成物。
【請求項１１】
以下の式：
Ｒ１−ＯＣ（Ｏ）−Ｃ（Ｒ２）＝ＣＨ２  （式０）、
Ｒ１−ＮＨ−Ｃ（Ｏ）Ｏ−Ｌ１−ＯＣ（Ｏ）Ｃ（Ｒ２）＝ＣＨ２  （式Ｉ）、又は
Ｒ３−Ｘ１−Ｃ（Ｏ）ＮＨ−Ｌ２−ＯＣ（Ｏ）Ｃ（Ｒ４）＝ＣＨ２  （式ＩＩ）、
［式中、
Ｒ１及びＲ３は各々、独立して、１２〜６０個の炭素原子を有する直鎖炭化水素基であり、
Ｒ２及びＲ４は各々、独立して、Ｈ又はＣＨ３であり、
Ｘ１はＯであり、
Ｌ１及びＬ２は各々、独立して、２〜１０個の炭素原子を有する分枝鎖若しくは直鎖アルキレン基、アリーレン基又はこれらの組み合わせである。］のうちの少なくとも１つの（メタ）アクリレートモノマーの重合から誘導される１又は複数のポリマー化合物を含む成分（Ａ）と、
以下の式：
Ｑ２−（Ｘ５−Ｃ（Ｏ）ＮＨ−（Ａ１−（Ｎ＝Ｃ＝Ｎ））ｒ−（Ｚ２）ｑ−Ａ２−ＮＨＣ（Ｏ）−Ｘ６）ｐ−Ｑ３  （式ＩＸ）
［式中、
Ｘ５及びＸ６は、各々Ｏであり、
Ａ１及びＡ２は各々、有機ジイソシアネート化合物の残基を表し、
ｑは０であり、
ｐは１であり、
ｒは３であり、
Ｑ２は、−（ＣＨ２）ａ−Ｓ−Ｕ（式ＸＩ）（式中、ａ＝２であり、Ｕは式：
Ｒ３−ＮＨＣ（Ｏ）Ｏ−Ｌ１−ＯＣ（Ｏ）Ｃ（Ｒ２）＝ＣＨ２  （式Ｉ）
（式中、
Ｒ３は１８個の炭素原子を有する炭化水素基であり、
Ｌ１は２個の炭素原子を有するアルキレン基であり、
Ｒ２はＨである。）で表されるアクリレートモノマーのオリゴマーである。）で表され、
Ｑ３は、Ｑ２又は少なくとも１８個の炭素原子を有する炭化水素基のいずれかである。］の１又は複数のポリカルボジイミド化合物を含む成分（Ｃ）と、
を含む、フッ素非含有処理組成物。
【請求項１２】
以下の式：
Ｒ１−ＯＣ（Ｏ）−Ｃ（Ｒ２）＝ＣＨ２  （式０）、
Ｒ１−ＮＨ−Ｃ（Ｏ）Ｏ−Ｌ１−ＯＣ（Ｏ）Ｃ（Ｒ２）＝ＣＨ２  （式Ｉ）、又は
Ｒ３−Ｘ１−Ｃ（Ｏ）ＮＨ−Ｌ２−ＯＣ（Ｏ）Ｃ（Ｒ４）＝ＣＨ２  （式ＩＩ）、
［式中、
Ｒ１及びＲ３は各々、独立して、１２〜６０個の炭素原子を有する直鎖炭化水素基であり、
Ｒ２及びＲ４は各々、独立して、Ｈ又はＣＨ３であり、
Ｘ１はＯであり、
Ｌ１及びＬ２は各々、独立して、２〜１０個の炭素原子を有する分枝鎖若しくは直鎖アルキレン基、アリーレン基又はこれらの組み合わせである。］のうちの少なくとも１つの（メタ）アクリレートモノマーの重合から誘導される１又は複数のポリマー化合物を含む成分（Ａ）と、
以下の式：
Ｑ２−（Ｘ５−Ｃ（Ｏ）ＮＨ−（Ａ１−（Ｎ＝Ｃ＝Ｎ））ｒ−（Ｚ２）ｑ−Ａ２−ＮＨＣ（Ｏ）−Ｘ６）ｐ−Ｑ３  （式ＩＸ）
［式中、
Ｘ５及びＸ６は、各々Ｏであり、
Ａ１及びＡ２は各々、有機ジイソシアネート化合物の残基を表し、
ｑは０であり、
ｐは１であり、
ｒは３であり、
Ｑ２及びＱ３は、独立して、少なくとも２個の炭素原子を有する炭化水素基である。］の１又は複数のポリカルボジイミド化合物を含む成分（Ｃ）と、
を含む、フッ素非含有処理組成物。
【請求項１３】
以下の式：
Ｒ１−ＯＣ（Ｏ）−Ｃ（Ｒ２）＝ＣＨ２  （式０）、
Ｒ１−ＮＨ−Ｃ（Ｏ）Ｏ−Ｌ１−ＯＣ（Ｏ）Ｃ（Ｒ２）＝ＣＨ２  （式Ｉ）、又は
Ｒ３−Ｘ１−Ｃ（Ｏ）ＮＨ−Ｌ２−ＯＣ（Ｏ）Ｃ（Ｒ４）＝ＣＨ２  （式ＩＩ）、
［式中、
Ｒ１及びＲ３は各々、独立して、１２〜６０個の炭素原子を有する直鎖炭化水素基であり、
Ｒ２及びＲ４は各々、独立して、Ｈ又はＣＨ３であり、
Ｘ１はＯであり、
Ｌ１及びＬ２は各々、独立して、２〜１０個の炭素原子を有する分枝鎖若しくは直鎖アルキレン基、アリーレン基又はこれらの組み合わせである。］のうちの少なくとも１つの（メタ）アクリレートモノマーの重合から誘導される１又は複数のポリマー化合物を含む成分（Ａ）と、
（ｉ）式（０）及び式（Ｉ）で表される少なくとも１つの（メタ）アクリレートモノマーの４個〜１２個の繰り返し単位を含む少なくとも１つのイソシアネート反応性オリゴマーと、
（ｉｉ）少なくとも１つの芳香族ポリイソシアネートと、
（ｉｉｉ）１２〜６０個の炭素原子を有する少なくとも１つの分枝鎖又は直鎖炭化水素基を含む少なくとも１つの更なるイソシアネート反応性化合物と、
（ｉｖ）少なくとも１つのイソシアネートブロック基と、
を含む成分の１又は複数の工程における反応から誘導される１又は複数の化合物を含む成分Ｂと、
を含む、フッ素非含有処理組成物。
【請求項１４】
繊維基材処理方法であって、前記繊維基材に、請求項１〜１３のいずれか一項に記載の組成物を、前記繊維基材を撥水性とするのに十分な量で適用すること、を含む、方法。
【請求項１５】
請求項１４に記載の方法によって処理された、繊維基材。